(57)【要約】  【課題】  光ディスク装置において、スピンドルモータを、簡易な構成により耐衝撃性を向上させた状態で支持できるようにする。  【解決手段】  ユニットメカ部を支持する基台に対し、スピンドルモータが取付けられたモータ固定板を、該スピンドルモータの外径よりも外側の部分を該基台の外縁部に当接させ、該部分が該基台により支持される構成とする。【選択図】  図２
2008123568.tif 000002
【特許請求の範囲】
【請求項１】
光ディスクをスピンドルモータで回転駆動し該光ディスクに光ピックアップからレーザ光を照射して情報を記録または再生する光ディスク装置であって、
装置基盤としての第１の基台と、
上記スピンドルモータ、上記光ピックアップ、及び、該光ピックアップをリードスクリューの回転により光ディスクの略半径方向に移動させる移動・案内機構部を備えて成るユニットメカ部と、
上記ユニットメカ部の支持部分を構成し、上記第１の基台に対し該第１の基台の平面に略直角な平面内で変位可能な第２の基台と、
上記スピンドルモータが取付けられ、該スピンドルモータの外径よりも外側で上記第２の基台の外縁部に当接して支持されるモータ固定板と、
を備え、上記モータ固定板を、上記第２の基台で支持する構成としたことを特徴とする光ディスク装置。
【請求項２】
上記モータ固定板は、上記スピンドルモータの回転中心に対し異なる開角の複数位置において上記第２の基台に固定され、かつ該複数位置とは異なる角度方向の部分が、該第２の基台に当接して支持される構成である請求項１に記載の光ディスク装置。
【請求項３】
上記モータ固定板は、３位置で上記第２の基台に固定され、該３位置のうち光ピックアップから最も遠い位置と、上記第２の基台に当接する部分とが、該光ピックアップの移動方向に平行でスピンドルモータの回転中心を通る直線に対して、互いに反対側に配された構成である請求項１に記載の光ディスク装置。
【請求項４】
上記モータ固定板は、３位置で上記第２の基台に固定され、該３位置のうち光ピックアップから最も遠い位置を含む２位置と、他の１位置及び上記第２の基台に当接する部分とが、該光ピックアップの移動方向に平行でスピンドルモータの回転中心を通る直線に対して、互いに反対側に配された構成である請求項１に記載の光ディスク装置。
【請求項５】
上記モータ固定板は、３位置で上記第２の基台に固定され、少なくとも、該３位置のうち光ピックアップから最も遠い位置を含む２位置と、上記第２の基台に当接する部分とが、該光ピックアップの移動方向に直角でスピンドルモータの回転中心を通る直線に対して、該光ピックアップとは反対側に配された構成である請求項１に記載の光ディスク装置。
【請求項６】
上記第２の基台は、外縁部がＬ字状とされ、
上記モータ固定板は、上記第２の基台に当接する部分が、該第２の基台の外縁部のＬ字状部分の先端面に当接される構成である請求項１に記載の光ディスク装置。
【請求項７】
上記モータ固定板は、３位置で上記第２の基台に固定され、該３位置のうち光ピックアップから最も遠い位置が、該光ピックアップの移動方向に平行でスピンドルモータの回転中心を通る直線に対して、上記移動・案内機構部の上記リードスクリューと同じ側に配された構成である請求項２から６のいずれかに記載の光ディスク装置。
【請求項８】
装置の厚さ寸法が９．５×１０−３ｍ以下とされた構成である請求項１から７のいずれかに記載の光ディスク装置。
【発明の詳細な説明】
【技術分野】
【０００１】
本発明は、光ディスクに対し情報を記録または再生する光ディスク装置に係り、特に、該光ディスクを回転するスピンドルモータの支持構造に関する。
【背景技術】
【０００２】
従来のユニットメカ方式の薄型の光ディスク装置では、例えば、図４〜図５に示すように、スピンドルモータ２は平面状のモータ固定板１５'に取付けられ、該モータ固定板１５'がユニットメカ部５'のユニットメカデッキ部材５ａ'に対して３つの位置（３位置）１６１'、１６２'、１６３'でそれぞれビス等により固定されている。ユニットメカ部５'は、ボトムケース８内に設けられた装置基盤としてのシャーシ４に対し、該シャーシ４の平面に略直角な平面内で変位可能な構成となっている。直線Ｃ−Ｃ'を、光ピックアップ３の移動方向に平行でスピンドルモータ２の回転中心ｃを通る直線、直線Ｄ−Ｄ'を、光ピックアップ３の移動方向に直角でスピンドルモータ２の回転中心ｃを通る直線とするとき、モータ固定板１５'が固定される３位置のうち、２つの位置１６１'、１６２'は、直線Ｄ−Ｄ'に対して光ピックアップ３とは反対側でかつ直線Ｃ−Ｃ'に対して他の１つの位置１６３'とは反対側に配され、該位置１６３'は直線Ｄ−Ｄ'に近接して配されている。なお、図５中、ｃは、スピンドルモータ２の回転中心、θ１'は、位置１６１'を通る直線が直線Ｄ−Ｄ'と成す角、θ２'は、位置１６２'を通る直線が直線Ｄ−Ｄ'と成す角、θ３'は、位置１６３'を通る直線が直線Ｄ−Ｄ'と成す角である。
【０００３】
本発明に関連した従来技術であって、特許文献に記載されたものとしては、例えば特開２００５−２９３６４７号公報（特許文献１）や特開２００６−１４７０００号公報（特許文献２）や特開２００５−４８６１号公報（特許文献３）に記載された技術がある。
【０００４】
【特許文献１】特開２００５−２９３６４７号公報
【特許文献２】特開２００６−１４７０００号公報
【特許文献３】特開２００５−４８６１号公報
【発明の開示】
【発明が解決しようとする課題】
【０００５】
最近、光ディスク装置の使用環境の多様化に伴い、高い耐衝撃性が要求されるようになっている。上記従来技術のうち、図４〜図５に示した構成においては、例えば、シャーシ４またはボトムケース８の平面に対し垂直方向（−Ｚ軸方向）の衝撃力Ｆが加わった場合には、図６に示すように、モータ固定板１５'にモーメントＭ'が作用し、該モーメントＭ'により、モータ固定板１５'は、固定された位置１６２'、１６３'間の部分がＹ軸方向に対してスピンドルモータ２とともに角度ψだけ変位して点線の状態となる。この結果、スピンドルモータ２の回転中心軸ｃも回転中心軸ｃ'の位置に変位する。かかるスピンドルモータ２の位置及び姿勢の変動は、スピンドルモータ２上に搭載された光ディスクと光ピックアップ３との間の位置関係を変えることになり、光ディスク面への対物レンズ３ａの接触やフォーカス外れなどの原因となる。
また、特開２００５−２９３６４７号公報や特開２００６−１４７０００号公報に記載されたディスク装置や、特開２００５−４８６１号公報に記載された光ディスク装置においても、スピンドルモータは、上記図４〜図５と同様の構造で支持されているため、衝撃力に対しては、スピンドルモータは、上記図６で説明したと同様の位置及び姿勢の変動を生ずると考えられる。
本発明の課題点は、上記従来技術の状況に鑑み、光ディスク装置において、スピンドルモータを、簡易な構成により耐衝撃性を向上させた状態で支持できるようにすることである。
【課題を解決するための手段】
【０００６】
上記課題点を解決するために、本発明では、光ディスク装置として、ユニットメカ部を支持する基台（第２の基台）に対し、スピンドルモータが取付けられたモータ固定板を、該スピンドルモータの外径よりも外側の部分を該基台の外縁部に当接させ、該部分が該基台により支持される構成とする。
【発明の効果】
【０００７】
本発明によれば、光ディスク装置において、耐衝撃性を向上させ、信頼性の向上を図ることができる。
【発明を実施するための最良の形態】
【０００８】
以下、本発明の実施例につき、図面を用いて説明する。
図１〜図３は本発明の実施例の説明図である。図１は、本発明の一実施例としての、スロットイン型の光ディスク装置の全体構成例図、図２は、図１の構成中、ユニットメカ部の裏面図、図３は、図２のユニットメカ部におけるモータ固定板の説明図である。なお、図１〜図３の構成において、同じ構成要素には同じ符号を付しかつ同じ座標軸を用いて示すものとする。
【０００９】
図１は、本発明の実施例としての光ディスク装置の表側（Ｚ軸方向側＝ディスク載置側）の構成例図である。
図１において、１００は光ディスク装置、２は、光ディスク（図示なし）を回転駆動するスピンドルモータ（ターンテーブルを含むものとする）、３は光ピックアップ、３ａは対物レンズ、４は、装置基盤である第１の基台としてのシャーシ、５は、上記スピンドルモータ２及び上記光ピックアップ３が配置されて成るユニットメカ部、５ａは、ユニットメカ部５の支持基盤であって上記スピンドルモータ２及び上記光ピックアップ３が搭載され、シャーシ４に対し支点周りに回動変位可能な第２の基台としてのユニットメカデッキ部材、７は、ユニットメカデッキ部材５ａを支点周りに回動させ、シャーシ４に対して昇降変位させる昇降機構部、８は、シャーシ４の外側に配され光ディスク装置１００の裏面側を覆うボトムケース、９は、昇降機構部７に駆動力を与える駆動ギヤ、２１は、表面にねじが設けられ、該ねじの回転により光ピックアップ３を光ディスク（図示なし）の略半径方向に移動させるリードスクリュー部材、２２、２３は、該光ピックアップ３の移動を案内するガイド部材、３０は、リードスクリュー部材２１を回転駆動する送りモータ、４０は、光ディスクをローディング移動またはアンローディング移動させる駆動力を発生するローディングモータ、４１は、ローディングモータ４０から駆動力を負荷側に伝達する伝達用ギヤ列、５０は、光ディスクが前面パネル（図示なし）側からＹ軸方向に装置本体内に挿入されたとき及び光ディスクが装置本体内から前面パネル側に排出されるときに、該挿入・排出動作のための駆動力伝達を行うアーム部材、５０ａはアーム部材５０のアーム部、５０ｂは、アーム部５０ａを回動可能に支持するアーム支持部、７０は、光ディスクを装置本体内に引き込むためのディスクスロットアーム部材、８０はサブレバー部材、１２２、１２３は、光ディスクのローディングまたはアンローディング時に作動するレバー部材、１３０は、ローディングモータ４０への通電をオン、オフするためのスイッチ、ｇ、ｈは、ユニットメカデッキ部材５ａが昇降変位するときの回動支点、Ｐ−Ｐ'は、回動支点ｇ、ｈを通る直線（以下、支点線という）である。送りモータ３０、リードスクリュー部材２１及びガイド部材２２、２３は、移動・案内機構部を構成する。
【００１０】
第２の基台としてのユニットメカデッキ部材５ａ上には、リードスクリュー部材２１、ガイド部材２２、２３及び送りモータ３０も、スピンドルモータ２や光ピックアップ３とともに搭載される。スピンドルモータ２はモータ固定板（図示なし）に取付けられ、該モータ固定板が該ユニットメカデッキ部材５ａの裏面側（−Ｚ軸方向側）にビス等で固定される。１６１、１６２、１６３はそれぞれ、該ビス等が設けられる位置すなわちモータ固定板をユニットメカデッキ部材５ａに固定する位置である。レバー部材１２２、１２３は、光ディスクのローディング移動またはアンローディング移動時に、ローディングモータ４０の回転駆動力が伝達用ギヤ列４１を介して伝達され、該光ディスクを所定の状態に保ちながら変位して該光ディスクを装置本体内のチャッキング可能な位置まで引き込んだり、または該チャッキング可能な位置から装置本体外に向けて光ディスクを引き出したりする。
光ディスク装置１００の表面側（Ｚ軸方向側）はトップカバー部材（図示なし）で覆われる。本光ディスク装置１００では、装置の厚さ寸法（トップカバー部材の外表面とボトムケース８の外表面との間の距離）が９．５×１０−３ｍ以下とされているものとする。
以下、説明中で用いる図１の構成要素には、図１におけると同じ符号を付して用いるとする。
【００１１】
図２は、図１の構成におけるユニットメカ部の裏面図である。
図２において、１５は、スピンドルモータ２をユニットメカデッキ部材５ａに固定するためのモータ固定板、ｃはスピンドルモータ２の回転中心、直線Ｃ−Ｃ'は、光ピックアップ３の移動方向に平行でスピンドルモータ２の回転中心ｃを通る直線、直線Ｄ−Ｄ'は、光ピックアップ３の移動方向に直角でスピンドルモータ２の回転中心ｃを通る直線、θ１は、位置１６１を通る直線が直線Ｄ−Ｄ'と成す角、θ２は、位置１６２を通る直線が直線Ｄ−Ｄ'と成す角、θ３は、位置１６３を通る直線が直線Ｄ−Ｄ'と成す角、１５１は、モータ固定板１５の平面の一部であって、３位置１６１、１６２、１６３とは異なる角度方向、すなわち角θ１、θ２、θ３とは異なる角度方向に伸びた平面部分（Ａ部）である。θ４は、角θ３の位置から該平面部分１５１の端部までの角度、θ５は、スピンドルモータ２の回転中心ｃに対する該平面部分１５１の先端部の開角である。該平面部分１５１は、直線Ｄ−Ｄ'と成す角θ２＋θ４〜θ２＋θ４＋θ５の範囲の領域に構成される。また、ユニットメカデッキ部材５ａは、少なくとも開角θ５に対応する部分の外縁部がＬ字状とされており、モータ固定板１５の平面部分１５１の先端部は、該外縁部すなわち該Ｌ字状部分の−Ｚ軸方向に伸びた部分の先端面に当接される。該当接されることで、モータ固定板１５の平面部分１５１は、ユニットメカデッキ部材５ａの該Ｌ字状部分の先端面で支持される。該モータ固定板１５の平面部分１５１は、弾性変形した状態で、ユニットメカデッキ部材５ａの該先端面に当接されるようにしてもよい。モータ固定板１５は、例えば、厚さ約０．４×１０−３ｍの珪素鋼板で構成し、位置１６１は、角θ１が約１１°、半径約１７．２×１０−３ｍの位置、位置１６２は、角θ２が約６５°、半径約１７．７×１０−３ｍの位置、位置１６３は、角θ３が約１８２°、半径約１７．５×１０−３ｍの位置、平面部分１５１は、角θ２＋θ４〜θ２＋θ４＋θ５が約１２０°〜１５０°で、半径約１９．４×１０−３ｍ〜２４．０×１０−３ｍの位置に設けられる。
【００１２】
上記モータ固定板１５において、上記３位置１６１、１６２、１６３のうち光ピックアップ３から最も遠い位置１６２と、ユニットメカデッキ部材５ａに当接する平面部分１５１とが、直線Ｃ−Ｃ'に対して、互いに反対側に配されている。また、３位置１６１、１６２、１６３のうち光ピックアップ３から最も遠い位置１６２を含む２位置１６１、１６２と、他の１位置１６３及びユニットメカデッキ部材５ａに当接する平面部分１５１とが、直線Ｃ−Ｃ'に対して、互いに反対側に配されている。また、少なくとも、該３位置のうち光ピックアップ３から最も遠い位置１６２を含む２位置１６１、１６２、及び、ユニットメカデッキ部材５ａに当接する平面部分１５１は、直線Ｄ−Ｄ'に対して、光ピックアップ３と反対側に配されている。また、３位置のうち光ピックアップ３から最も遠い位置１６２は、直線Ｃ−Ｃ'に対して、リードスクリュー部材２１と同じ側に配されている。
以下、説明中で用いる図２の構成要素にも、図２におけると同じ符号を付して用いるとする。
【００１３】
図３は、図２のユニットメカ部におけるモータ固定板の説明図である。
図３において、５１ａは、ユニットメカデッキ部材５ａの該Ｌ字状部分の先端面である。モータ固定板１５の平面部分１５１は、その先端部の平面でユニットメカデッキ部材５ａの先端面５１ａに当接している。かかる状態において、例えば、シャーシ４またはボトムケース８の平面に対し垂直方向（−Ｚ軸方向）の衝撃力Ｆが加わった場合、モータ固定板１５にモーメントＭが作用するが、モータ固定板１５は、その平面部分１５１の先端部がユニットメカデッキ部材５ａの先端面５１ａに当接しているため、ほとんど変位せず、スピンドルモータ２の回転中心軸ｃもほとんど変位しない。このように、モータ固定板１５の平面部分１５１の先端部を、ユニットメカデッキ部材５ａの先端面５１ａで支持することで、衝撃力Ｆに対し、スピンドルモータ２の位置及び姿勢の変動が抑えられ、スピンドルモータ２上に搭載された光ディスク（図示なし）と光ピックアップ３との間の位置関係もほとんど変わらないようにすることができ、光ディスク面への対物レンズ３ａの接触やフォーカス外れなども回避される。
【００１４】
上記実施例によれば、光ディスク装置１００において、簡易な構成のモータ固定板１５を用いて、スピンドルモータ２を、耐衝撃性を向上させた状態で支持することができ、製造コストの増大を抑えた構成下で装置の信頼性向上を図ることができる。
【００１５】
なお、上記実施例では、モータ固定板１５を、その平面部分１５１でユニットメカデッキ部材５ａの先端面５１ａに当接させる構成としたが、本発明はこれに限定されず、凹状部分や凸状部分でユニットメカデッキ部材５ａに当接させる構成としてもよい。
【図面の簡単な説明】
【００１６】
【図１】本発明の実施例としての光ディスク装置の全体構成例図である。
【図２】図１の構成におけるユニットメカ部の裏面図である。
【図３】図２のユニットメカ部におけるモータ固定板の説明図である。
【図４】従来の光ディスク装置におけるユニットメカ部の説明図である。
【図５】図４の構成の裏面図である。
【図６】図５の構成におけるモータ固定板の変位の説明図である。
【符号の説明】
【００１７】
１００…光ディスク装置、
２…スピンドルモータ、
３…光ピックアップ、
３ａ…対物レンズ、
４…シャーシ、
５、５'…ユニットメカ部、
５ａ、５ａ'…ユニットメカデッキ部材、
７…昇降機構部、
８…ボトムケース、
９…駆動ギヤ、
２１…リードスクリュー部材、
２２、２３…ガイド部材、
３０…送りモータ、
４０…ローディングモータ、
ｇ、ｈ…回動支点、
１５、１５'…モータ固定板、
１５１…平面部分、
５１ａ…先端面、
１６１、１６２、１６３、１６１'、１６２'、１６３'…モータ固定板の固定位置。
【図１】
2008123568.tif 000003
【図２】
2008123568.tif 000004
【図３】
2008123568.tif 000005
【図４】
2008123568.tif 000006
【図５】
2008123568.tif 000007
【図６】
2008123568.tif 000008